(57)【要約】【課題】ユーザーによる受信調整を必要とせず、ユーザーの身体による影響が最小限となる受信調整が可能で、良好な受信信号を得ることができるアンテナ装置を提供する。【解決手段】複数のアンテナ１１〜２０に接続し、選択したアンテナからの受信信号５を出力する選択手段を有する制御部４と、該制御部４から出力された受信信号５を入力し、受信状態６を前記制御部４に出力するチューナー部３とを備え、前記制御部４は、最良の受信状態が得られるように、受信状態６を比較して、受信信号５を出力するアンテナを選択する。あるいは、複数のアンテナからの受信信号を合成して出力する合成手段を有する制御部４を備え、前記制御部４は、最良の受信状態が得られるように、受信状態６を比較して、アンテナからの受信信号を合成する仕様を維持する。【選択図】  図１
2004186722.tif 000002
【特許請求の範囲】
【請求項１】
複数のアンテナと、それぞれのアンテナに接続し、選択したアンテナからの受信信号をチューナーに出力する選択手段を有する制御部とを備えたアンテナ装置であり、前記制御部は、最良の受信状態が得られるように、チューナーが出力する受信状態を比較して、受信信号をチューナーに出力するアンテナを選択することを特徴とするアンテナ装置。
【請求項２】
チャンネルの変更を含み、受信状態の変化が生じた時、始動時、およびユーザーの操作時のいずれかにおいて、前記選択手段は、受信信号を出力するアンテナを１つずつ順に選択し、チューナーからの受信状態が最良となるように、１つのアンテナを継続して選択することを特徴とする請求項１に記載のアンテナ装置。
【請求項３】
複数のアンテナと、それぞれのアンテナに接続し、アンテナからの受信信号を合成してチューナーに出力する合成手段を有する制御部とを備えたアンテナ装置であり、前記制御部は、最良の受信状態が得られるように、チューナーが出力する受信状態を比較して、アンテナからの受信信号を合成する仕様を維持することを特徴とするアンテナ装置。
【請求項４】
チャンネルの変更を含み、受信状態の変化が生じた時、始動時、およびユーザーの操作時のいずれかにおいて、前記合成手段は、受信信号を合成する仕様を１つずつ順に実行し、チューナーからの受信状態が最良となるように、アンテナからの受信信号を合成する仕様を維持することを特徴とする請求項３に記載のアンテナ装置。
【請求項５】
前記アンテナの一部または全部が、半波長ダイポールアンテナであることを特徴とする請求項１から４のいずれかに記載のアンテナ装置。
【請求項６】
前記アンテナの２つが、一直線状に並べられた半波長ダイポールアンテナであり、位相差給電による位相差制御を行い、指向性を可変とすることを特徴とする請求項１から４のいずれかに記載のアンテナ装置。
【請求項７】
前記アンテナの２つが、平行に並べられた半波長ダイポールアンテナであり、位相差給電による位相差制御を行い、前後比を可変とすることを特徴とする請求項１から４のいずれかに記載のアンテナ装置。
【請求項８】
前記受信状態が、受信レベル、ＢＥＲ（Ｂｉｔ  Ｅｒｒｏｒ  Ｒａｔｅ）およびＳＮ（Ｓｉｇｎａｌ−Ｎｏｉｓｅ）比からなる群から選ばれる１種以上であることを特徴とする請求項１から４のいずれかに記載のアンテナ装置。
【請求項９】
請求項１から８のいずれかに記載のアンテナ装置を内蔵したＴＶ受信機であり、アンテナは、筐体内で、上面、側面、背面、前面上部の角、および前面左右の角からなる群から選ばれる１箇所以上に配置したことを特徴とするＴＶ受信機。
【請求項１０】
筐体に内蔵した複数のアンテナと、チューナーと、それぞれのアンテナに接続して受信信号を前記チューナーに出力する手段を有し、前記チューナーが出力する受信状態を受信する制御部とを備えたＴＶ受信機であり、前記制御部は、最良の受信状態が得られるように、受信状態を比較して、受信信号を生成することを特徴とするＴＶ受信機。
【発明の詳細な説明】
【０００１】
【発明の属する技術分野】
本発明は、自動的に受信調整をするアンテナ装置に関する。
【０００２】
【従来の技術】
従来、室内で使用可能な受信アンテナとして、室内アンテナがあった。室内アンテナは、空間配置された例えばアルミ合金からなる導体であり、通常、１台のＴＶ受信機に対し、１台の室内アンテナが必要である。
【０００３】
しかし、ＴＶ受信機が、室内装飾に適合しやすい形状に収まるように工夫されてきているのに対して、室内アンテナは設置場所がかさばり、視聴するユーザーの視野に入って、違和感を生じていた。
【０００４】
設置場所をとらないように、例えば、特開平９−２１４２２１号公報には、天井に取り付けるアンテナ装置が開示されている。しかし、配線および工事が面倒であり、配線が壁面に露出するという問題があった。
【０００５】
さらに、例えば、特開２００２−２３７７０９号公報には、コンパクトな室内アンテナが開示され、特開平７−２４９９２２号公報には、占有体積を小さくした室内アンテナが開示されている。しかし、部品点数が多くなり、機構を構成する部品に埃がたまって、清掃が困難となるなど、設置場所を必要としないという本質的な課題の解決はできなかった。
【０００６】
また、このような室内アンテナは、無指向性であれば、室内装飾に合わせて設置すればよいが、ほとんどが指向性を有し、各チャンネルの受信状態を総合的に判断して、設置する場所、向きおよび仰角などを、ユーザーが決定しなければならなかった。このような受信調整は、万人が共通して実施可能ではなく、ある程度の受信状態で我慢することになり、室内アンテナの性能を充分に享受しているとは言えなかった。
【０００７】
また、受信調整をするユーザーの身体が室内アンテナに近接するために、受信状態は身体の影響を受けるので、実際に視聴する際の受信状態とは異なり、受信調整が困難になるという問題もあった。
【０００８】
【特許文献１】
特開平９−２１４２２１号公報
【０００９】
【特許文献２】
特開２００２−２３７７０９号公報
【００１０】
【特許文献３】
特開平７−２４９９２２号公報
【００１１】
【発明が解決しようとする課題】
本発明の目的は、ユーザーによる受信調整を必要とせず、ユーザーの身体による影響が最小限となる受信調整が可能で、良好な受信信号を得ることができるアンテナ装置を提供することである。
【００１２】
【課題を解決するための手段】
本発明のアンテナ装置の一態様では、複数のアンテナと、それぞれのアンテナに接続し、選択したアンテナからの受信信号をチューナーに出力する選択手段を有する制御部とを備える。前記制御部は、最良の受信状態が得られるように、チューナーが出力する受信状態を比較して、受信信号をチューナーに出力するアンテナを選択する。
【００１３】
チャンネルの変更を含み、受信状態の変化が生じた時、始動時、およびユーザーの操作時のいずれかにおいて、前記選択手段は、受信信号を出力するアンテナを１つずつ順に選択し、チューナーからの受信状態が最良となるように、１つのアンテナを継続して選択する。
【００１４】
本発明のアンテナ装置の異なる態様では、複数のアンテナと、それぞれのアンテナに接続し、アンテナからの受信信号を合成してチューナーに出力する合成手段を有する制御部とを備える。前記制御部は、最良の受信状態が得られるように、チューナーが出力する受信状態を比較して、アンテナからの受信信号を合成する仕様を維持する。
【００１５】
チャンネルの変更を含み、受信状態の変化が生じた時、始動時、およびユーザーの操作時のいずれかにおいて、前記合成手段は、受信信号を合成する仕様を１つずつ順に実行し、チューナーからの受信状態が最良となるように、アンテナからの受信信号を合成する仕様を維持する。
【００１６】
前記アンテナの一部または全部が、半波長ダイポールアンテナであることが望ましい。
【００１７】
前記アンテナの２つが、一直線状に並べられた半波長ダイポールアンテナであり、位相差給電による位相差制御を行い、指向性を可変とするか、前記アンテナの２つが、平行に並べられた半波長ダイポールアンテナであり、位相差給電による位相差制御を行い、前後比を可変とすることが望ましい。
【００１８】
前記受信状態が、受信レベル、ＢＥＲ（Ｂｉｔ  Ｅｒｒｏｒ  Ｒａｔｅ）およびＳＮ（Ｓｉｇｎａｌ−Ｎｏｉｓｅ）比からなる群から選ばれる１種以上であることが好ましい。
【００１９】
本発明のＴＶ受信機の一態様では、前記アンテナ装置を内蔵し、アンテナは、筐体内で、上面、側面、背面、前面上部の角、および前面左右の角からなる群から選ばれる１箇所以上に配置する。
【００２０】
本発明のＴＶ受信機の異なる態様では、筐体に内蔵した複数のアンテナと、チューナーと、それぞれのアンテナに接続して受信信号を前記チューナーに出力する手段を有し、前記チューナーが出力する受信状態を受信する制御部とを備えたＴＶ受信機であり、前記制御部は、最良の受信状態が得られるように、受信状態を比較して、受信信号を生成する。
【００２１】
【発明の実施の形態】
本発明について、図面を参照して説明する。
【００２２】
図１は、本発明の一実施例を示すブロック図である。図２は、本発明のＴＶ受信機の一実施例を示す斜視図である。
【００２３】
本発明の一実施例では、複数のアンテナ１１〜２０と、それぞれのアンテナ１１〜２０に接続し、選択したアンテナからの受信信号５を出力する選択手段を有する制御部４と、該制御部４から出力された受信信号５を入力し、受信状態６を前記制御部４に出力するチューナー部３とを備え、前記制御部４は、最良の受信状態が得られるように、受信状態６を比較して、受信信号５を出力するアンテナを選択する。アンテナ装置は、ＴＶ受信機１に内蔵され、チューナー部３は、主回路２の一部である。
【００２４】
アンテナは、例えば半波長ダイポールアンテナや、その他のダイポールアンテナが使用可能であり、図２に点線で示したように、筐体内に内蔵する。アンテナ１１、１２、１３、１４は前面左右の角に配置した例であり、アンテナ１５、１６は前面上部の角に配置した例であり、アンテナ１７、１８は上面に配置した例であり、アンテナ１９、２０は側面に配置した例である（反対側の側面および背面に配置した例は、図示を省略した）。必要な数量と、仕様を勘案して、設置場所などは決定する。
【００２５】
また、前記受信状態６は、受信レベル、ＢＥＲ（Ｂｉｔ  Ｅｒｒｏｒ  Ｒａｔｅ）およびＳＮ（Ｓｉｇｎａｌ−Ｎｏｉｓｅ）比のいずれか、またはこれらの２種以上であればよい。受信状態６は、アナログ放送においては、受信レベルの大小により、デジタル放送においては、チューナー部３によって生成されるビットエラーレートの大小によると、判断が可能となる。
【００２６】
受信レベルは、受信信号の大きさを変換して生成される。ＢＥＲは、単位ビット中に含まれるエラービットの数を計算して生成される。ＳＮ比は、受信信号に対するノイズ信号の大きさを変換して生成される。得られた受信状態６は、例えばＥＩＡ／ＣＥＡ−９０９規格の仕様に基づき、制御部４に伝達される。
【００２７】
受信調整は、チャンネルの変更を含み、受信状態６の変化が生じた時、始動時、およびユーザーの操作時のいずれかにおいて行い、受信信号５を出力するアンテナを１つずつ順に選択し、前記チューナー部３からの受信状態６が最良となるように、１つのアンテナを継続して選択する。
【００２８】
チャンネルを変更することにより、受信状態６が変わるので、受信状態６を入力した制御部４では、画像の切り替わる速さで、アンテナを順に選択して受信することにより、最良のアンテナを自動的に選択することが可能である。
【００２９】
あるいは、始動時に、同様の受信調整を行い、ユーザーの操作によっても受信調整を行う。
【００３０】
さらに、チャンネル毎に選択するアンテナを記憶する回路を設けておき、チューナー部３から制御部４に受信しているチャンネルを送信することにより、例えば、受信状態が変化した時のみ受信調整を行い、始動時には最後に選択したアンテナとなるように、受信調整を最小限にしてもよい。さらに、ＴＶ受信機を購入した際には、地域の放送局を登録するチャンネルのプリセットにおいて、このような受信調整が自動的に行われるようする。従って、チャンネルが選択される毎に、最適な受信状態となるアンテナが自動的に選択される。
【００３１】
また、新しい家電機器やＡＶ機器が近くに設置されたり、車両の無線機器を使用中の車両が近隣を通過するように、ＴＶ受信機の周囲環境が変化した場合でも、受信状態が劣化したことを、受信状態の低下により判断することができ、前述のように受信調整が可能である。
【００３２】
以上のように、初期にチャンネル毎に選択するアンテナを記憶し、チャンネルの変更を含み、受信状態の変化が生じた時、始動時、およびユーザーの操作時毎に受信調整を行うことにより、常に最良の受信状態を得ることができる。
【００３３】
本発明の異なる実施例では、複数のアンテナ１１〜２０と、それぞれのアンテナ１１〜２０に接続し、アンテナからの受信信号５を合成して出力する合成手段を有する制御部４と、該制御部４から出力された受信信号５を入力し、受信状態６を前記制御部４に出力するチューナー部３とを備え、前記制御部４は、最良の受信状態が得られるように、受信状態６を比較して、アンテナからの受信信号を合成する仕様を維持する。
【００３４】
受信調整は、チャンネルの変更を含み、受信状態６の変化が生じた時、始動時、およびユーザーの操作時のいずれかにおいて行い、前記合成手段は、受信信号を合成する仕様を１つずつ順に実行し、前記チューナー部３からの受信状態６が最良となるように、アンテナからの受信信号を合成する仕様を維持する。
【００３５】
図３には、半波長ダイポールアンテナを使用し、位相差給電による位相差制御を行った際の特性を、グラフで示した。Ａには、半波長ダイポールアンテナの指向性を示した。Ｂには、２つの半波長ダイポールアンテナを、一直線状に並べ、位相差給電による位相差制御を行い、指向性を可変とする回路図および特性の例を示した。Ｃには、２つの半波長ダイポールアンテナを、平行に並べ、位相差給電による位相差制御を行い、指向の前後比を可変とする回路図および特性の例を示した。
【００３６】
ダイポールアンテナの信号は、Ａのように、前後方向に対称的な８の字特性を示すが、Ｂのように、指向性方向を可変としたり、Ｃのように、前後比を可変とすることが可能である。さらに、これらの位相差制御をした半波長ダイポールアンテナを、複数個設置することにより、あらゆる方向からの電波に対して受信可能となるように、無指向性を得ることができる。従って、本発明により、ＴＶ受信機のみにより、全てのチャンネルに対して、常に良好な受信状態とすることが可能となる。
【００３７】
さらに、アンテナの単体に、指向性切替機能や、ＧＡＩＮ調整機構を有し、制御部が制御して、同様の効果を得るようにしてもよい。
【００３８】
【発明の効果】
本発明のアンテナ装置は、複数個のアンテナを、制御部が自動的に選択して受信を行うか、受信信号を合成するので、最良の受信状態に調整が可能となる。ユーザーが手動で受信調整していた従来に比して、煩わしさが無く、ユーザーの身体の影響を受けにくいという効果を得られる。
【００３９】
さらに、地上波のデジタル化により、受信状況の良悪をＢＥＲのように定量的に表すことが容易になったので、より良好な受信状態を得やすいという効果を得ることができる。
【図面の簡単な説明】
【図１】本発明の一実施例を示すブロック図である。
【図２】本発明のＴＶ受信機の一実施例を示す斜視図である。
【図３】半波長ダイポールアンテナを使用し、位相差給電による位相差制御を行った際の特性を示すグラフである。
【符号の説明】
１  ＴＶ受信機
２  主回路
３  チューナー部
４  制御部
５  受信信号
６  受信状態
１１、１２、１３、１４、１５、１６、１７、１８、１９、２０  アンテナ
【図１】
2004186722.tif 000003
【図２】
2004186722.tif 000004
【図３】
2004186722.tif 000005